(57)【要約】【解決手段】  本発明は、電動工具１０、２０、３０、４０、５０に関し、この電動工具が、担持構造２１と、この担持構造に配設された回転軸受２７と、この回転軸受２７を介して前記担持構造２１に軸受けされた軸８と、この軸８と連結された回転可能な工具１、特に鋸刃、ミーリングカッターまたは研磨ディスクと、この工具１から発する力に依存する機械的な量３の検出のためのストレーンゲージ装置２と、および、制御装置４とを備えており、この制御装置が、前記電動工具１０、２０、３０、４０、５０の現象及び／または状態を、検出された前記機械的な量３に従って認識するように形成されている。前記ストレーンゲージ装置２は、前記回転軸受２７と力伝達的に連結された不動の構造部分５に配設されており、且つ、前記回転軸受２７には配設されていない。
2020528013.tif 000002
【特許請求の範囲】
【請求項１】
電動工具（１０、２０、３０、４０、５０）であって、この電動工具が、
−担持構造（２１）と、
−この担持構造（２１）に配設された回転軸受（２７）と、
−この回転軸受（２７）を介して前記担持構造（２１）に軸受けされた軸（８）と、
−この軸（８）と連結された回転可能な工具（１）、特に鋸刃、ミーリングカッターまたは研磨ディスクと、
−この工具（１）から発する力に依存する機械的な量（３）の検出のためのストレーンゲージ装置（２）と、および、
−制御装置（４）とを備えており、
この制御装置が、前記電動工具（１０、２０、３０、４０、５０）の現象及び／または状態を、検出された前記機械的な量（３）に従って認識するように形成されている様式の上記電動工具において、
前記ストレーンゲージ装置（２）が、前記回転軸受（２７）と力伝達的に連結された不動の構造部分（５）に配設されており、且つ、前記回転軸受（２７）には配設されていないことを特徴とする電動工具（１０、２０、３０、４０、５０）。
【請求項２】
前記構造部分（５）は、前記担持構造（２１）の一部である、及び／または、
直接的に前記担持構造（２１）に配設されていることを特徴とする請求項１に記載の電動工具（１０、２０、３０、４０、５０）。
【請求項３】
前記回転軸受（２７）は、直接的に前記担持構造（２１）に配設されていることを特徴とする請求項２に記載の電動工具（１０、２０、３０、４０、５０）。
【請求項４】
前記担持構造（２１）は、前記回転軸受（２７）を周囲から把持しており、及び／または、
前記構造部分（５）が、前記担持構造（２１）を周囲から把持していることを特徴とする請求項２または３に記載の電動工具（１０、２０、３０、４０、５０）。
【請求項５】
前記ストレーンゲージ装置（２）は、前記回転軸受（２７）と反対側の、及び／または、半径方向に外方へと整向された前記構造部分（５）の面に配設されている、及び／または、半径方向に内方へと整向された前記構造部分（５）の面に配設されていることを特徴とする請求項２から４のいずれか一つに記載の電動工具（１０、２０、３０、４０、５０）。
【請求項６】
前記担持構造（２１）は、軸受フランジ（９）を備え、且つ、前記構造部分（５）が、この軸受フランジ（９）の一部であることを特徴とする請求項２から５のいずれか一つに記載の電動工具（２０）。
【請求項７】
前記担持構造（２１）は、前記電動工具（１０、２０、３０、４０、５０）の伝動機構ハウジングの一部であることを特徴とする請求項２から６のいずれか一つに記載の電動工具（１０、２０、３０、４０、５０）。
【請求項８】
前記ストレーンゲージ装置（２）は、
前記軸（８）の軸線方向において、前記回転軸受（２７）と同じ第１の軸線方向範囲（４１）内において、
この第１の軸線方向範囲（４１）に隣接する第２の軸線方向範囲（４２）内において、及び／または、
この第１の軸線方向範囲（４１）から離間された第３の軸線方向範囲（４３）内において、
配設されていることを特徴とする請求項２から６のいずれか一つに記載の電動工具（１０、２０、３０、４０、５０）。
【請求項９】
前記ストレーンゲージ装置（２）は、複数のストレーンゲージ（２５）を備えており、これらストレーンゲージが、前記軸（８）を取り囲んでいる軌道の上に分配されて配設されていることを特徴とする請求項２から８のいずれか一つに記載の電動工具（１０、２０、３０、４０、５０）。
【請求項１０】
前記ストレーンゲージ装置（２）は、正に１つのストレーンゲージ（２５）を備えることを特徴とする請求項２から８のいずれか一つに記載の電動工具。
【請求項１１】
前記ストレーンゲージ装置（２）は、機械的なベクトル量としての前記機械的な量を検出するように形成されており、および、前記制御装置（４）が、前記電動工具（１０、２０、３０、４０、５０）の現象及び／または状態を、この機械的なベクトル量（３）の方向及び／または方向変化に従い認識するように形成されていることを特徴とする請求項２から１０のいずれか一つに記載の電動工具（１０、２０、３０、４０、５０）。
【請求項１２】
前記制御装置（４）は、認識されるべき現象及び／または状態として、
キックバック、前進鋸切断、後進鋸切断、加工材料（１１）内への前記工具（１）の進入、及び／または、前記電動工具（１０、２０、３０、４０、５０）、特に前記工具（１）の摩耗状態を認識するように形成されていることを特徴とする請求項２から１１のいずれか一つに記載の電動工具（１０、２０、３０、４０、５０）。
【請求項１３】
制御装置４は、
認識された現象及び／または状態に対する応答において、信号を提供するように、
前記工具（１）が制動されることを生起するように、及び／または、
前記工具（１）が作動位置から安全保護位置に移動されることを生起するように、
形成されていることを特徴とする請求項２から１２のいずれか一つに記載の電動工具（１０、２０、３０、４０、５０）。
【請求項１４】
電動工具（１０、２０、３０、４０、５０）の、現象及び／または状態の認識のための方法であって、この電動工具が、
担持構造（２１）と、この担持構造に配設された回転軸受（２７）と、この回転軸受（２７）を介してこの担持構造（２１）に軸受けされた軸（８）と、この軸（８）と連結された回転可能な工具（１）、特に鋸刃、ミーリングカッターまたは研磨ディスクと、および、この工具（１）から発する力に依存する機械的な量（３）の検出のためのストレーンゲージ装置（２）とを有し、
このストレーンゲージ装置（２）が、前記回転軸受（２７）と力伝達的に連結された不動の構造部分に配設されており、且つ、前記回転軸受（２７）には配設されていない前記方法において、この方法が、以下のステップ：即ち、
前記機械的な量（３）の検出のステップ（Ｓ１）と、この機械的な量（３）に従い、前記電動工具（１０、２０、３０、４０、５０）の現象及び／または状態の認識のステップ（Ｓ２）とを備えていることを特徴とする方法。
【請求項１５】
電動工具内へと組み込むための後付け装置であって、この電動工具が、
担持構造（２１）と、この担持構造（２１）に配設された回転軸受（２７）と、この回転軸受（２７）を介してこの担持構造（２１）に軸受けされた軸（８）と、および、この軸（８）と連結された回転可能な工具（１）、特に鋸刃、ミーリングカッターまたは研磨ディスクとを備えており、
この後付け装置は、構造部分（５）を備えており、この構造部分に、ストレーンゲージ装置（２）が配設されており、および、
前記後付け装置は、前記構造部分（５）が、
前記ストレーンゲージ装置（２）が前記回転軸受（２７）に配設されていないように、
前記回転軸受（２７）と力伝達的に連結された不動の構造部分として組み込み可能であるほどに形成されている、
ことを特徴とする後付け装置。
【請求項１６】
請求項１５による後付け装置でもって、電動工具、特に完全に機能を果たす能力のある電動工具をシステムアップするための方法であって、
この方法が、以下のステップ：即ち、後付け装置の組み込みのステップを備え、
従って、前記構造部分（５）が、前記回転軸受（２７）と力伝達的に連結された不動の構造部分であり、且つ、前記ストレーンゲージ装置（２）が前記回転軸受（２７）に配設されていない、
ことを特徴とする方法。
【発明の詳細な説明】
【技術分野】
【０００１】
本発明は、電動工具に関し、この電動工具が、
担持構造と、
この担持構造に配設された回転軸受と、
この回転軸受を介して前記担持構造に軸受けされた軸と、
この軸と連結された回転可能な工具、特に鋸刃、ミーリングカッターまたは研磨ディスクと、
この工具から発する力に依存する機械的な量の検出のためのストレーンゲージ装置と、および、
制御装置とを備えており、
この制御装置が、前記電動工具の現象及び／または状態を、検出された前記機械的な量に従って認識するように形成されている。
【背景技術】
【０００２】
特許文献１は、キックバック検知システムを有するテーブル鋸を記載しており、このキックバック検知システムが、軸受と軸との間に配設されたセンサーを備えている。このセンサーがストレーンゲージとして形成されていることは可能である。
【先行技術文献】
【特許文献】
【０００３】
【特許文献１】国際出願公開第２０１４／１０５９３５号パンフレット
【発明の概要】
【発明が解決しようとする課題】
【０００４】
本発明の課題は、冒頭に記載された電動工具を、この電動工具がより簡単に製造され得るように修正することにある。
【課題を解決するための手段】
【０００５】
この課題は、請求項１に従う電動工具によって解決される。本発明に従い、ストレーンゲージ装置は、不動の構造部分に配設されており、この構造部分が、回転軸受と力伝達的に連結されている。このストレーンゲージ装置は、この回転軸受には配設されていない。
【発明の効果】
【０００６】
表示「不動の構造部分」でもって、特に軸に対して不動である構造部分；即ちこの軸と共に回転しない構造部分、が理解されるべきである。
【０００７】
本発明は、特に、工具から発する力が、ただ直接的に回転軸受自体においてだけ検知可能であるのではなく、むしろ、特に同様にこの回転軸受と力伝達的に連結された不動の構造部分においても検出され得ることの認識に基づいている。ストレーンゲージは、それに応じて、直接的に回転軸受に配設されるのではなく−このことは、製造技術的に手間暇がかかる−、むしろ、前記の代わりに、不動の構造部分に装着される。
【０００８】
ストレーンゲージ装置は、合目的に、回転軸受から離間されている。
【０００９】
有利な構成において、構造部分は、担持構造の一部であり、この担持構造に回転軸受が配設されている。この構造部分が、例えば軸受フランジであることは可能であり、この軸受フランジ内へと回転軸受が組み込まれており、且つ、この軸受フランジにこの回転軸受が直接的に密接している。
合目的に、ストレーンゲージ装置は、回転軸受と反対側の、半径方向に外方へと整向された軸受フランジの面に配設されており、及び／または、回転軸受から離間されて、半径方向に内方へと整向された軸受フランジの面に配設されている。電動工具の現象及び／または状態を認識可能とするために、工具から発したこの位置における力が、ストレーンゲージ装置を用いて良好に十分に検出され得ることは判明した。
【００１０】
更に有利な構成に従い、構造部分は、伝動機構ハウジングの一部であり、且つ、回転軸受が、直接的にこの伝動機構ハウジングに密接している。合目的に、ストレーンゲージ装置は、回転軸受と反対側の、半径方向に外方へと整向された伝動機構ハウジングの面、及び／または、半径方向に内方へと整向された伝動機構ハウジングの面に配設されている。
【００１１】
制御装置によって特定されるべき状態は、電動工具の特にいわゆる「キックバック」である。この概念「キックバック」でもって、典型的に１つの現象が理解され、この現象において、電動工具による加工材料の加工の間じゅう、突然の、および、予期しない力がこの電動工具と加工材料との間で発生し、この力によって、この電動工具または加工材料が、その場合に加速され、且つ、移動の状態に陥らせられる。
テーブル丸鋸において、キックバックは、通常、使用者の方向への加工材料の予期しない加速を誘起する。ハンド丸鋸において、キックバックの際に、工具の予期され得ない移動という事態となる可能性がある。キックバックは、使用者の負傷を誘起する可能性があり、且つ、従って、作動信頼性の阻害を意味する。
【００１２】
キックバックは、特に、加工材料内への突然の、過度に迅速な工具の進入の際、後進鋸切断の際、加工材料内における工具の締付けの際、所定の材料特性（例えば、不均質の木材、応力）の際、及び／または、先の丸くなった工具の際に発生する可能性がある。検出された機械的な量に基づいての前記で説明された現象認識によって、特に、キックバック−現象は認識されるべきである。
認識されるべきキックバック、もしくは、キックバック−現象でもって、ここで、特に同様に目前に迫っているキックバックが、即ち、キックバックの原因が既に与えられているが、しかしながら、電動工具及び／または加工材料の如何なる著しい加速も未だに生じていないか、もしくは、電動工具及び／または加工材料の如何なる著しい加速も生じていない現象が意味される。
電動工具または加工材料がキックバックによって移動状態に置かれる、もしくは、著しく加速される以前に、このキックバックは、既に、工具から発する力がこの力の方向を変化することによって、到来が予告される。工具は、即ち、キックバックの直前もしくはキックバックの開始時に、標準の作動においてとは異なる方向に突き進む。この異なる方向への突進は、機械的な量の検出によって検知され得、それによって、キックバック−状態が存在することが推定される。
【００１３】
更に、認識されるべき現象が、加工材料内への工具の進入、前進鋸切断、後進鋸切断であることは可能である。
【００１４】
認識されるべき状態は、特に、電動工具の摩耗状態、有利には、鋸刃として形成された工具の摩耗状態である。
【００１５】
有利な更なる構成は、従属請求項の対象である。
【００１６】
本発明は、更に、電動工具の、現象及び／または状態の認識のための方法に関している。
【００１７】
合目的に、この方法は、ここで説明された電動工具を用いて実施される。
【００１８】
更に別の例示的な詳細、並びに、例示的な実施形態を、以下で、図との関連のもとで説明する。
【図面の簡単な説明】
【００１９】
【図１】第１の実施形態に従う電動工具の概略図である。
【図２】第２の実施形態に従う電動工具の、軸、回転軸受、および、担持構造の断面図である。
【図３】第２の実施形態に従う電動工具の断面図である。
【図４】第２の実施形態に従う電動工具の軸受フランジの図である。
【図５】第３の実施形態に従う電動工具の、軸、回転軸受、および、担持構造の断面図である。
【図６】第３の実施形態に従う電動工具の断面図である。
【図７】第４の実施形態に従う電動工具の断面図である。
【図８】機械的なベクトル量の、方向または方向変化に基づいての、現象及び／または状態認識の、図での説明のためのグラフである。
【図９】方法のブロックダイアグラムである。
【図１０】第５の実施形態に従う電動工具の概略図である。
【発明を実施するための形態】
【００２０】
以下の説明において、図内において図示された方向「ｘ」、「ｙ」、「ｚ」に関連される。これらｘ方向、ｙ方向、および、ｚ方向は、互いに直交して整向されている。ｘ方向とｙ方向とは、同様に水平方向とも称され得、および、ｚ方向が、同様に垂直方向とも称され得る。更に、ｙ方向とｚ方向とは、軸８に関して半径方向と称され得、および、ｘ方向が軸線方向と称され得る。
【００２１】
図１は、第１の実施形態に従う電気工具１０を示している。電動工具１０は、担持構造２１、並びに、この担持構造２１に配設された回転軸受２７を備えている。この回転軸受２７は、有利には、担持構造２１に固定されており、及び／または、この担持構造によって担持される。
合目的に、回転軸受２７は、例えばこの回転軸受の以下で更に説明される外側リング３３、及び／または、この外側リング３３に配設された（図内において示されていない）連結構造によって、直接的にこの担持構造２１に密接している。
【００２２】
電動工具１０は、更に、軸８、例えば駆動軸または従動軸を備えており、この軸が、回転軸受２７を介して回転可能に担持構造２１に軸受けされている。担持構造２１は、有利には、この軸８と共に回転せず、且つ、同様に、不動構造とも称され得る。
【００２３】
電動工具１０は、更に、この軸８と連結された、回転可能な工具１、特に鋸刃、ミーリングカッター、または、研磨ディスクを備えている。
【００２４】
電動工具１０は、機械的な量３の検出のためのストレーンゲージ装置２を備えており、この機械的な量が、工具１から発する力に依存する。このストレーンゲージ装置２は、回転軸受２７と力伝達的に連結された不動の構造部分５に配設されている。このストレーンゲージ装置は、回転軸受２７には配設されていない。
【００２５】
更に、電動工具１０は、制御装置４を備えており、この制御装置が、電動工具１０の現象及び／または状態を、検出された機械的な量３に従って認識するように形成されている。
【００２６】
以下で、電動工具１０の例示的な詳細、並びに、更に別の例示的な実施形態が説明される。
【００２７】
電動工具１０は、有利には、鋸、特にハンド丸鋸またはプランジソー（Ｔａｕｃｈｓａｅｇｅ）である。この電動工具１０が、更に、同様にフラットダボフライス加工機（Ｆｌａｃｈｄｕｅｂｅｌｆｒａｅｓｅ）またはアングルグラインダー（Ｗｉｎｋｅｌｓｃｈｌｅｉｆｅｒ）として形成されていることも可能である。工具１は、特に円形であり、且つ、作動状態において例示的に時計方向において回転する。
【００２８】
例示的に、電動工具１０は、ハウジング６を備えており、このハウジング内において、ストレーンゲージ装置２および制御装置４が配設されている。このハウジング６に、載置面３２が設けられており、この載置面によって、電動工具１０は、加工されるべき加工材料１１の上に載置され得る。
【００２９】
電動工具１０は、駆動装置７を備えている。この駆動装置７は、例えば、電気モーターと伝動機構とを備えている。この駆動装置７は、有利には、制御装置４によって制御される。電動工具１０は、更に、軸８を備えており、この軸が、駆動装置７によって駆動され得る。この軸８は、この軸８の軸線方向によって、ｘ方向において指向されている。工具１は、機械的に軸８と連結されている。合目的に、この工具１は、軸８に固定されている。
【００３０】
電動工具１０は、更に担持構造２１を備えており、この担持構造が、合目的にハウジング６内において配設されている。この担持構造２１に、例えば、軸８が軸受けされている。更に、この担持構造２１が、駆動装置７のためのハウジングとして形成されていることは可能である。この担持構造２１が、例えば、駆動装置ハウジング、特に伝動機構ハウジングを具現するか、または備えていることは可能である。
【００３１】
例示的に、電動工具１０は、ユーザインターフェース３１を備えている。このユーザインターフェース３１は、例えば入力装置を備えており、この入力装置によって、使用者が、電動工具１０を、例えば、スイッチオンおよびスイッチオフ、及び／または、構成、及び／または、校正可能である。
【００３２】
図１内において示されているように、電動工具１０は、加工材料１１の加工の際に、典型的に、載置面３２によってこの加工材料１１の上で載置し、且つ、送り方向１２において、加工材料１１に対して相対的に移動される。例示的に、工具１の鋸の歯は、その際、下から上に加工材料１１内へと鋸で切断する。
【００３３】
ストレーンゲージ装置２は、合目的に、担持構造２１と回転軸受２７とを介して、軸８と力伝達的に連結されている。このストレーンゲージ装置２は、特に、機械的な量３として、工具１から発する力によって生起される構造部分５の変形を検出するように形成されている。このストレーンゲージ装置２は、有利には、レーザー構造化されている。
【００３４】
図１内において、構造部分５は、例示的に、担持構造２１の一部である。この構造部分５は、例示的に、リング形状及び／または円筒形状に形成されている。合目的に、構造部分５は、ここで、回転軸受２７を担持している。
【００３５】
これに対して選択的に、構造部分５自体が、担持構造２１の如何なる一部でもない、即ち、特に回転軸受２７を担持しないことは同様に可能である。この選択的な場合において、この構造部分５は、合目的に、直接的に担持構造２１に配設されている。有利には、構造部分５は、この場合に担持構造２１を周囲から把持し、及び／または、特に担持構造２１の上に装着されている。
【００３６】
回転軸受２７は、有利には、直接的に担持構造２１に配設されている。合目的に、この回転軸受２７は、直接的に担持構造２１に装着されている。
この回転軸受２７は、以下で更に説明されるように、外側リング３３を備えており、且つ、特にこの外側リング３３（及び／または示されていない連結構造）によって、担持構造２１に装着されている。有利には、担持構造２１は回転軸受２７を周囲から把持している。
【００３７】
合目的に、ストレーンゲージ装置２は、回転軸受２７と反対側の、及び／または、半径方向に外方へと整向された構造部分５の面に、このことが例示的に図１内において示されているように、配設されている。これに対して選択的に、ストレーンゲージ装置２が、同様に、回転軸受２７から離間されて、半径方向に内方へと整向された構造部分５の面に配設されていることも可能である。
【００３８】
例示的に、ストレーンゲージ装置２は、複数のストレーンゲージ２５を備えており、これらストレーンゲージが、軸８を取り囲んでいる（仮想の）軌道の上に分配されて配設されている。この（仮想の）軌道は、有利には、円形である。これらストレーンゲージ２５は、特に同じ角度間隔のもとで、互いに離間されている。例示的に、ストレーンゲージ２５は、９０°だけ、互いに離間されている。
【００３９】
示された構成に対して選択的に、ストレーンゲージ装置２が正に１つのストレーンゲージ２５を備えること；即ち、構造部分５及び／または担持構造２１に、ただ１つのストレーンゲージ２５だけが設けられていることは同様に可能である。
このストレーンゲージ２５は、その場合に、有利には、１つの角度範囲内において位置し、この角度範囲が、例えば以下で更に説明される方向範囲１４、１５、１６（図８を参照）の内の１つの方向範囲内における、認識されるべき現象もしくは認識されるべき状態のための指標として利用される。
【００４０】
有利には、ストレーンゲージ装置２及び／または制御装置４は、機械的な量３を連続的に検出するように形成されており、従って、変化、特に機械的な量３の方向変化が検出され得る。
【００４１】
制御装置４は、例えば、マイクロコントローラーとして形成されている。この制御装置４は、情報伝達的に、ストレーンゲージ装置と連結されており、このストレーンゲージ装置が、同様にセンサー装置とも称され得る。
この制御装置４は、機械的な量３に基づいて、電動工具１０の現象及び／または状態を特定するように形成されている。例えば、制御装置４は、検出された機械的な量３の方向が、所定の方向範囲の内側に位置するのかまたは外側に位置するのかどうかを確認するように、および、この確認に基づいて、特定された状態及び／または現象が存在するのかまたは存在しないのかどうかを判定するように形成されている。
【００４２】
これに対して付加的または選択的に、制御装置４は、同様に、機械的な量３、特にこの機械的な量３の値を閾値と比較するように、および、この比較に基づいて、特定された状態及び／または現象が存在するのかまたは存在しないのかどうかを判定するようにも形成されている。この場合に、機械的な量３は、同様にスカラー量としても検出され得る。
【００４３】
有利には、制御装置４は、機能特定情報に基づいて、選択的に第１の認識機能、または、この第１の認識機能と異なる第２の認識機能を特定するように、および、検出された機械的な量に基づく、キックバック−現象の認識を、特定された認識機能の使用のもとで実施するように形成されている。これら両方の認識機能は、合目的に、これらの感応性において相違している。
【００４４】
図２から７までの関連のもとで、以下で、例示的な実施形態に立ち入るべきであり、これら実施形態が、それぞれに、構造部分５、もしくは、この構造部分５におけるストレーンゲージ装置２の配設の、異なる構成に関係している。以下で説明される実施形態は、合目的に、前記で説明された第１の実施形態の更なる構成であり、従って、前記の説明が、同様に以下で説明される実施形態にも適用される。
【００４５】
第２の実施形態に従い、担持構造２１は、軸受フランジ９を備え、且つ、構造部分５が、この軸受フランジ９の一部である。ストレーンゲージ装置２は、この軸受フランジ９に配設されている。
【００４６】
第２の実施形態の例示的な構成は、図２、３および４内において示されている。図３内において、第２の実施形態に従い形成された電動工具２０が示されている。
【００４７】
回転軸受２７は、ここで、例示的に、直接的に軸受フランジ９に配設されている。この軸受フランジ９は、回転軸受２７を周囲から把持し；この回転軸受２７が、特に半径方向に内方へと整向された軸受フランジ９の面に密接している。ストレーンゲージ装置２は、回転軸受２７と反対側の、且つ、半径方向に外方へと整向された、軸受フランジ９の面に配設されている。
【００４８】
示されていない構成に従い、ストレーンゲージ装置２が、同様に、回転軸受２７から離間されて、半径方向に内方へと整向された、軸受フランジ９の面に配設されていることも可能である。
【００４９】
合目的に、軸受フランジ９は、円筒形の切欠き部の様式における回転軸受収容部４４を有している。この回転軸受収容部４４は、例示的に、同様に内側の外套面とも称され得る半径方向の内方へと整向された面４５と、軸線方向に対して法線方向に整向されたリング形状の当接面４６とを備え、この当接面が、回転軸受収容部４４を軸線方向において区画している。
組み込まれた状態において、回転軸受２７は、合目的に、この回転軸受の外側リング３３でもって、内側の外套面４５に密接し、且つ、この回転軸受の端側面でもって、合目的に、当接面４６に密接している。
【００５０】
軸受フランジ９は、合目的に、総じてリング形状の基礎形態を備えており、且つ、円形の開口部を有しており、この開口部を通って軸８が延びている。軸受フランジ９の内径は、合目的に、軸８の外径よりも大きく、従って、この軸８と軸受フランジ９とが、有利には接触しない。軸受フランジ９は、有利には、一体的な部材である。
【００５１】
合目的に、軸受フランジ９は、軸８の軸線方向に接し合って連なる複数の軸線方向部分を備えており、この軸線方向部分が、合目的に、それぞれに１つのリング形状の基礎形態を有している。例示的に、この軸受フランジは、軸線方向部分として、フランジ部分３６、回転軸受−収容部分３７、および、カラー部分３８を備えている。
【００５２】
フランジ部分３６は、例示的に半径方向−即ち、ｙ方向およびｚ方向−に、最大の軸線方向部分の延在部を有している。更に、このフランジ部分３６は、例示的に最小の内径を有する軸線方向部分である。このフランジ部分３６は、（図４内において示されている）固定部分３９を備えており、これら固定部分によって、軸受フランジ９が、（以下で更に説明されるように）第１の部分区間２２において固定されている。
【００５３】
フランジ部分３６に、軸線方向において、回転軸受−収容部分３７が連なり、この回転軸受−収容部分内において、回転軸受収容部４４が配設されている。この回転軸受−収容部分３７は、合目的に、フランジ部分３６よりも小さな外径、及び／または、このフランジ部分３６よりも大きな内径を有している。
【００５４】
回転軸受−収容部分３７に、軸線方向において、カラー部分３８が連なっている。このカラー部分３８は、合目的に、同様に回転軸受収容部４４の軸線方向の延在部の一部も提供する。このカラー部分３８は、例示的に、回転軸受−収容部分３７より小さな外径、及び／または、この回転軸受−収容部分３７と同じ内径を有している。
【００５５】
例示的に、ストレーンゲージ装置２は、カラー部分３８に、特にこのカラー部分３８の半径方向に外方へと整向された外套面に配設されている。合目的に、カラー部分３８は構造部分５を具現する。
【００５６】
示されていない構成に従い、ストレーンゲージ装置２は、同様に内方へと整向された、軸受フランジ９、特にカラー部分３８の外套面に配設されていることも可能である。
【００５７】
例示的に、カラー部分３８の周囲に分配されて配設された、４つのストレーンゲージ２５が設けられている。これに対して選択的に、同様に、正に１つ、２つまたは３つのストレーンゲージ２５、または、４つよりも多いストレーンゲージ２５が設けられていることも可能である。
【００５８】
図２内において示されているように、軸受フランジ９は、第１の部分区間２２と共に、担持構造２１を形成している。この第１の部分区間２２は、合目的に、伝動機構ハウジングの一部である。例示的に、この第１の部分区間２２は、中空円筒形の形状を有しており、且つ、合目的に、軸８を取り囲んでおり、その際、この第１の部分区間２２が、軸８から有利には離間されている。
【００５９】
軸受フランジ９は、特に第１の部分区間２２の端部において固定されている。合目的に、この軸受フランジ９は、フランジ部分３６、特に固定部分３９を介して、第１の部分区間２２、特に伝動機構ハウジングに固定されている。
例示的に、この固定部分３９は、穿孔を備えており、軸受フランジ９を第１の部分区間２２に固定するために、この穿孔を通って、固定手段、例えばねじが係合する。
【００６０】
例示的に、第１の部分区間２２は、この第１の部分区間の内側の外套面でもって、軸受フランジ、特に回転軸受−収容部分３７の外側の外套面に密接する。合目的に、この第１の部分区間２２の内側の外套面は、カラー部分３８の外側の外套面の向かい側に位置し、且つ、このカラー部分の外側の外套面から、および、特に同様にストレーンゲージ装置２からも、半径方向に離間されている。
【００６１】
回転軸受２７は、この回転軸受の外側リング３３でもって、軸受フランジ９の内側面に密接し、且つ、有利には、回転不能に軸受フランジ９に固定されている。この回転軸受２７は、転動体３５並びに内側リング３４を備えており、この内側リングが、これら転動体３５を介して、外側リング３３に対して相対的に、回転可能に軸受けされている。内側リング３４に、軸８が固定されている。
【００６２】
第２の実施形態の変形例において、ストレーンゲージ装置２は、同様に、第１の部分区間２２において、特にこの第１の部分区間２２の半径方向に外方へと及び／または半径方向に内方へと整向された面、例えば外套面において配設されている。更に、このストレーンゲージ装置２が、同様に、軸受フランジ９及び／または第１の部分区間２２を周囲から把持する構造部分に配設されていることも可能である。
【００６３】
第３の実施形態に従い、ストレーンゲージ装置２は、担持構造２１に配設されている。回転軸受２７は、合目的に、軸受フランジに配設されているのではなく、むしろ、前記の代わりに、例示的に担持構造２１のリング形状または中空円筒形の部分に配設されており、この部分が、同様に第１の部分区間２２と称され得る。
この第３の実施形態は、図５および６内において見て取れ；図６が、この第３の実施形態に従い形成された電動工具３０を示している。
【００６４】
例示的に、第３の実施形態は、軸受フランジ９が設けられていなく、回転軸受が直接的に第１の部分区間２２に密接し、且つ、ストレーンゲージ装置２がこの第１の部分区間２２に配設されていることの相違を有して、第２の実施形態のように構成されていることは可能である。
合目的に、ストレーンゲージ装置２は、回転軸受２７と反対側の、及び／または。半径方向に外方へと整向された、担持構造２１、特に第１の部分区間２２の面に配設されている。これに対して選択的または付加的に、ストレーンゲージ装置２が、同様に、半径方向に内方へと整向された、担持構造２１、特に第１の部分区間２２の面に配設されていることも可能である。
【００６５】
回転軸受２７は、例示的に、直接的に担持構造２１、特に第１の部分区間２２に密接している。この担持構造２１は、回転軸受２７を周囲から把持している。半径方向に内方へと整向された、担持構造２１、特に第１の部分区間２２の外套面は、半径方向に外方へと整向された、回転軸受２７、特に外側リング３３の面に密接している。
【００６６】
担持構造２１、特に第１の部分区間２２は、有利には、伝動機構ハウジングの一部分であり、この伝動機構ハウジングが、有利には、同様に駆動装置７も担持している。構造部分５は、ここで、従って、伝動機構ハウジングによって提供される。
【００６７】
図５内において見て取れるように、ストレーンゲージ装置２が、回転軸受２７に対して相対的に、異なる軸線方向範囲４１、４２、４３内において配設されていることは可能である。有利には、ストレーンゲージ装置２は、これら軸線方向範囲４１、４２、４３の内のただ１つだけの軸線方向範囲内において配設されており、しかしながら、同様に、複数の軸線方向範囲４１、４２、４３内において配設されていることも可能である。
【００６８】
例示的に、ストレーンゲージ装置２は、軸８の軸線方向において、回転軸受２７と同じ第１の軸線方向範囲４１内において配設されている。
これに対して選択的または付加的に、ストレーンゲージ装置２が、同様に、この第１の軸線方向範囲４１に隣接する第２の軸線方向範囲４２内において、及び／または、この第１の軸線方向範囲４１から離間された第３の軸線方向範囲４３内において配設されていることも可能である。
【００６９】
ストレーンゲージ装置２は、図５内において、異なる軸線方向範囲４１、４２、４３内において、それぞれに半径方向に外方へと整向された、第１の部分区間２２の面に配設されており、しかしながら、同様に、半径方向に内方へと整向された面、特に回転軸受２７と同じ面に配設されていることも可能である。
【００７０】
この配設可能性は、合目的に、同様に他の実施形態にも適用される。
【００７１】
第３の実施形態の変形例において、ストレーンゲージ装置２は、第１の部分区間２２を周囲から把持する構造部分に配設されている。
【００７２】
図７は、第４の実施形態に従う、電動工具を示している。この第４の実施形態において、ストレーンゲージ装置２は、複数のストレーンゲージ２５、２６を備えており、これらストレーンゲージが、担持構造２１に配設されている。例えば、これらストレーンゲージは、担持構造２１に粘着またはレーザー構造化されている。
【００７３】
ストレーンゲージ２５、２６は、担持構造２１の変形の検出のために利用され、この変形が、軸８から担持構造２１に対して作用する力によって誘起される。
【００７４】
合目的に、ストレーンゲージ２５、２６は、軸８に対して相対的に半径方向に外方へと延びる、担持構造２１の２つの部分２４に配設されている。例示的に、ストレーンゲージ２５は、水平方向に延びる部分２４に配設されており、且つ、ストレーンゲージ２６が、垂直方向に延びる部分２４に配設されている。これら部分２４は、特にウェブ形状に形成されている。
【００７５】
部分２４は、合目的に、担持構造２１の第１の部分区間２２と第２の部分区間２３とを互いに結合している。例示的に、第１の部分区間２２は軸８を取り囲んでいる。特に、第１の部分区間２２は、伝動機構ハウジングを具現し、または、伝動機構ハウジングを備えている。有利には、軸８は、第１の部分区間２２において軸受けされている。
第２の部分区間２３は、工具１から発する力の伝達経路内において、合目的に、第１の部分区間２２の後方−即ちこの第１の部分区間２２の下流側−に位置している。
【００７６】
合目的に、前記で述べられた構造部分５を有する構成要素は、後付け装置として提供され、この後付け装置によって、電動工具、特に完全に機能を果たす能力のある電動工具がシステムアップされ得る。この工具は、有利には、鋸、フラットダボフライス加工機、または、アングルグラインダーである。特に前記で説明された軸受フランジ９、担持構造２１、及び／または、第１の部分区間２２は、後付け装置として提供され得る。
【００７７】
そのような後付け装置は、電動工具のシステムアップに利用され、この電動工具が、担持構造２１と、この担持構造２１に配設された回転軸受２７と、この回転軸受２７を介してこの担持構造２１に軸受けされた軸８と、および、この軸８と連結された回転可能な工具１、特に鋸刃、ミーリングカッターまたは研磨ディスクとを備えており、
その際、この後付け装置が、構造部分５を備えており、この構造部分に、ストレーンゲージ装置２が配設されており、且つ、この後付け装置が、この構造部分５が回転軸受２７と力伝達的に連結された不動の構造部分として組み込み可能であるように形成されており、従って、このストレーンゲージ装置２が回転軸受２７に配設されていない。
【００７８】
後付け装置は、特に、この後付け装置の組み込みによって図２または５に従う構成が達成され得るように構成されている。
【００７９】
電動工具、特に完全に機能を果たす能力のある電動工具は、後付け装置でもって、以下のステップ：即ち、後付け装置の組み込みのステップによって、システムアップされ得、
従って、電動工具内における構造部分（５）が、回転軸受（２７）と力伝達的に連結された不動の構造部分であり、且つ、ストレーンゲージ装置（２）が回転軸受（２７）に配設されていない。
【００８０】
更に、システムアップの際、特に前記のステップの以前に、以下のステップ：即ち、回転軸受（２７）と力伝達的に連結された構造部分の、特に回転軸受、担持構造、及び／または、この担持構造の部分区間の、取り外しのステップが実施され得る。
【００８１】
以下で、詳細に、ベクトル量としての機械的な量３の検出および評価に立ち入るべきである。以下の説明は、全ての実施形態に適用される。
【００８２】
合目的に、ストレーンゲージ装置２は、機械的なベクトル量としての機械的な量を検出するように形成されており、および、制御装置４が、電動工具１０、２０、３０、４０、５０の現象及び／または状態を、この機械的なベクトル量３の方向及び／または方向変化に従い認識するように形成されている。
【００８３】
検出された機械的なベクトル量３の方向及び／または方向変化に基づいて、電動工具１０の現象認識及び／または状態認識が行われることによって、この電動工具１０の現象変化または状態変化は、既に極めて早い時点で確認され得る。この現象認識及び／または状態認識は、これに伴って改善される。
【００８４】
例示的に、ストレーンゲージ装置２は、複数のストレーンゲージ２５を備えており、これらストレーンゲージによって、それぞれに、構造部分５の変形が検出される。異なるストレーンゲージ２５の検出された変形から、変形ベクトルが形成され得、この変形ベクトルが、有利には、機械的なベクトル量として利用される。
この機械的なベクトル量の方向に基づいて、合目的に、工具１から発する力が推定され得、もしくは、どの方向に、工具１が、特にこの工具１の他の構成要素、例えばハウジング６に対して相対的に突き進むのかが認識され得る。有利には、検出された機械的なベクトル量の方向は、工具１が突き進む方向に相応する。
【００８５】
図８に基づいて、以下で、どのように、特定された現象及び／または状態の認識が例示的に行われ得るのかを、詳細に説明する。
【００８６】
図８は、異なる方向範囲１４、１５および１６と、２つの方向閾値１７、１８と、および、検出された機械的なベクトル量３とに関する、１つのダイヤグラムを示している。
【００８７】
このダイヤグラムは、４つの四分円に分割されている。それぞれの四分円は、９０°を備えている。参照符号１９は、０°線を表示している。
以下で説明される角度座標、もしくは、角度数は、数学的に正の回転方向（反時計方向）において理解されるべきである。合目的に、この０°線は、載置面３２及び／または送り方向１２に対して平行に延びている。
【００８８】
方向範囲１４、１５および１６は、例示的に、２次元的な方向範囲である。これら方向範囲１４、１５および１６は、ここで、同様に角度範囲とも称され得る。
【００８９】
合目的に、方向範囲１４、１５、１６は、１つの平面内において位置する。この平面は、合目的に、工具１の平面に対して平行に、もしくは、軸８の軸線方向に対して垂直に整向されている。これら方向範囲１４、１５、１６は、有利には、互いにオーバーラップしない。
【００９０】
制御装置４は、少なくとも１つの方向範囲１４、１５および１６を提供するように形成されている。例えば、少なくとも１つの方向範囲は、この制御装置４内におけるメモリー内において記憶されている。これに対して選択的または付加的に、この制御装置４が、同様に少なくとも１つの方向範囲自体を生成するように形成されていることも可能である。
この制御装置４は、更に、検出された機械的なベクトル量３が、方向範囲１４、１５または１６の内側に位置するのかまたは外側に位置するのかどうかを特定するように、および、この特定に基づいて、電動工具１０の状態を認識するように形成されている。
【００９１】
合目的に、制御装置４は、複数の方向範囲１４、１５、１６を提供するように、および、異なる現象及び／または状態を、方向範囲１４、１５、１６の内のどの方向範囲内において機械的なベクトル量３の方向が位置しているのかに基づいて認識するように形成されている。特に、その際、これら方向範囲１４、１５、１６のそれぞれの方向範囲に、それぞれに１つの現象及び／または状態は、割り当てられている。
【００９２】
工具１が加工材料１１内へと進入させられている場合、および、電動工具１０がこの加工材料１１に対して相対的に、送り方向１２に移動される場合に、第１の方向範囲１４は、１つの方向範囲を具現し、この方向範囲内において機械的なベクトル量３が位置する。例示的に、この第１の方向範囲１４は、両方の下側の四分円内において、即ち１８０°と３６０°との間の範囲の内側に位置する。示された例において、この第１の方向範囲１４は、２２０°から３３０°に至るまでに延在する。
【００９３】
第１の方向範囲１４内において位置する機械的なベクトル量３は、電動工具１０によって送り方向１２に前方へと鋸で切断されることの、現象もしくは状態が存在することに関する指標である。
それに応じて、制御装置４は、機械的なベクトル量３が第１の方向範囲１４内において位置する際に、「前進鋸切断−現象」もしくは「前進鋸切断−状態」が存在することを認識するように形成されている。
【００９４】
工具１が加工材料１１内へと進入させられている場合、および、電動工具１０がこの加工材料１１に対して相対的に、標準的な送り方向１２に対して反対に、即ち後退方向に移動される場合に、第２の方向範囲１５は、１つの方向範囲を具現し、この方向範囲内において機械的なベクトル量が位置する。
工具１が加工材料１１内へと進入される場合、更にこの第２の方向範囲１５は１つの方向範囲を具現し、この方向範囲内において機械的なベクトル量３が位置する。例示的に、この第２の方向範囲１５は、両方の左側の四分円内において、即ち９０°と２７０°との間の範囲の内側に位置する。示された例において、この第２の方向範囲１５は、１２５°から２２０°に至るまでに延在する。
【００９５】
第２の方向範囲１５内において位置する機械的なベクトル量３は、電動工具１０によって後方へと鋸で切断されること、または、工具１が、加工材料１１内へと進入されることの、現象もしくは状態が存在することに関する指標である。
それに応じて、制御装置４は、機械的なベクトル量３が第２の方向範囲１５内において位置する際に、「後進鋸切断−現象」もしくは「後進鋸切断−状態」、または、「進入−現象」が存在することを認識するように形成されている。
【００９６】
第１の方向範囲１４と第２の第２の方向範囲１５とは、共に標準の範囲を具現する。機械的なベクトル量３がこの標準の範囲内において位置する限り、制御装置４が、電動工具１０の安全な作動状態が存在することを仮定することは可能であり、且つ、例えば相応する信号を提供することは可能である。
【００９７】
キックバック−現象が存在する場合に、第３の方向範囲１６は、１つの方向範囲を具現し、この方向範囲内において機械的なベクトル量が位置する。例示的に、この第３の方向範囲１６は、両方の上側の四分円内において、即ち０°と１８０°との間の範囲の内側に位置する。示された例において、この第３の方向範囲１６は、５°から１００°に至るまでに延在する。
合目的に、制御装置４は、機械的なベクトル量３が第３の方向範囲１６内において位置する際に、キックバック−現象を認識するように形成されている。
【００９８】
制御装置４がキックバック−現象を推定する方向範囲は、同様により大きく規定され得る。例えば、この方向範囲の境界は、標準の範囲の境界と第３の方向範囲１６の境界との間に配置され得る。このことは、図２内において、両方の方向閾値１７、１８によって図示されている。例示的に、これら方向閾値１７、１８は、標準の範囲の境界に隣接している。
これに対して選択的に、これら方向閾値は、同様に、標準の範囲の境界に位置することも可能である。
【００９９】
合目的に、時計方向に、第２の方向閾値１８から第１の方向閾値１７へと延在する方向範囲は、第３の方向範囲１６の位置に使用され得る。この（図２内において図示された）第３の方向範囲１６は、この場合に選択的である。
【０１００】
合目的に、制御装置４は、機械的なベクトル量３が両方の方向閾値１７と１８との間に、−即ち反時計方向において、第１の方向閾値１７の後ろと第２の方向閾値１８の手前との間に−位置する際に、キックバック−現象を認識するように形成されている。
このキックバック−現象は、これに伴って、キックバックに関する原因が既に与えられており、電動工具１０または加工材料１１が、しかしながら未だに著しく加速されていない、もしくは、未だに如何なる反動または跳ね返りも作用しない時点において、既に認識され得る。
合目的に、制御装置４は、キックバック−現象を、加工材料１１に対する電動工具１０の（キックバックに対する認識および応動無しに）生じる加速の５０ｍｓから１００ｍｓまで以前に認識するように形成されている。この加速は、例えば、上方への成分、もしくは、示されたダイヤグラム内において９０°方向における成分を有する加速である。
【０１０１】
検出された機械的なベクトル量３の方向に基づいての、前記で説明された現象認識及び／または状態認識に対して選択的または付加的に、現象認識及び／または状態認識を、機械的なベクトル量３の方向変化に基づいて実施することも同様に可能である。
【０１０２】
例えば、キックバックが目前に迫っている場合、機械的なベクトル量３は、第３の方向範囲１６への方向に回転する。制御装置４が、それに応じて、機械的なベクトル量３の検出された回転に基づいて、現象及び／または状態を認識するように形成されていることは可能である。例えば、制御装置４は、機械的なベクトル量の角速度を速度閾値と比較するように、および、この速度閾値の超過の際に、現象及び／または状態を認識するように形成されている。
更に、制御装置４が、どのような変化角度だけ、機械的なベクトル量３が特に所定の時間範囲内で変化したかを特定するように、および、現象及び／または状態を認識するためにこの変化角度を角度閾値と比較するように、形成されていることは可能である。
【０１０３】
キックバック−認識の際に、制御装置４が、更に、キックバックの異なる様式を区別するように形成されていることは可能である。例えば、後進鋸切断または進入の際に生じるキックバックが目前に迫っている場合、機械的なベクトル量３は、（第２の方向範囲１５を出発点として）反時計方向に回転し、それに対して、この機械的なベクトル量３が、工具１の挟み込みによって加工材料１１内において誘起されるキックバックの際に、時計方向に回転する。
制御装置４が、それに応じて、機械的なベクトル量３の回転方向を、現象および状態の認識の際に考慮するように形成されていることは可能である。
【０１０４】
更に、制御装置４が、状態認識及び／または現象認識の際に、同様に検出された機械的なベクトル量３の値も考慮するように形成されていることは可能である。
例えば、制御装置４が、状態及び／または現象を、ただ機械的なベクトル量３の値が、ある閾値よりも大きい場合にだけ認識するように形成されていることは可能である。このようにして、作動状態において生じる弱い衝撃が、誤って、キックバックとして認識されることは防止され得る。
【０１０５】
それに加えて、制御装置４が、機械的なベクトル量３が所定の方向範囲１４、１５、１６の内側で位置する時間の長さを考慮するように形成されていることは可能である。
例えば、制御装置４が、状態及び／または現象を、ただ機械的なベクトル量３が所定の時間閾値よりも長く所定の方向範囲１４、１５、１６内において位置する際にだけ認識するように形成されていることは可能である。
【０１０６】
更に、制御装置４が、検出された機械的なベクトル量３の方向に基づいて、摩耗状態が存在するかどうかを特定するように形成されていることは可能である。この摩耗状態が、特に工具１の摩耗状態であることは可能である。
制御装置４が、方向範囲を提供するように、および、機械的なベクトル量３が方向範囲の内側に位置するのかまたは外側に位置するのかどうかに基づいて摩耗状態を確認するように形成されていることは可能である。例示的に、制御装置４は、機械的なベクトル量３の方向転換、例えば力方向転換を認識可能であり、且つ、このことから、摩耗状態を推定可能である。制御装置４は、その場合に、相応する信号手段を介して、摩耗状態が存在することを表示する音響的または視覚的な信号を出力可能である。
【０１０７】
前記で説明された具体的な方向範囲１４、１５、１６の角度指示は、全く例示的に理解されるべきである。それぞれの電動工具１０のタイプおよび構造に応じて、実際上の角度は変化可能である。これら方向範囲１４、１５、１６の実際上の角度は、校正を用いて確定され得る。この校正は、例えば、電動工具の開発または製造の際に、及び／または、使用者によって行われ得る。
【０１０８】
合目的に、制御装置４は、１つまたは複数の方向範囲１４、１５、１６の校正を行うように形成されている。例えば、ユーザインターフェース３１を用いて、この校正は着手され得る。制御装置４は、それに基づいて、駆動装置７を介して工具１を駆動し、且つ、その際、ストレーンゲージ装置２を介して、機械的なベクトル量３を検出する。
検出された機械的なベクトル量３に基づいて、制御装置４は、次いで、１つの方向範囲、及び／または、１つまたは複数の閾値を作成可能であり、且つ、制御装置４のメモリー内において保管可能である。この工程は、例えば新しい工具１が組み付けられる場合に行われ得る。工具１の摩耗認識は、従って改善され得る。
【０１０９】
以下で、ストレーンゲージ装置２、および、機械的なベクトル量３の検出について、詳細に説明する。
【０１１０】
ストレーンゲージ装置２は、合目的に、機械的なベクトル量３を少なくとも２次元的なベクトルとして検出するように形成されている。
この目的のために、このストレーンゲージ装置２は、機械的なベクトル量３の基礎である機械的な量を、異なる少なくとも２つの空間方向において測定するように形成されている。これら両方の空間方向は、例えば、送り方向１２に対して平行に延びる１つの空間方向と、この送り方向１２に対して垂直方向に延びる１つの空間方向とである。
合目的に、両方の空間方向は、軸８の軸線方向に対して垂直方向である。例えば、ストレーンゲージ装置２は、少なくとも２つのストレーンゲージ２５を備えている。合目的に、これらストレーンゲージ２５のそれぞれのセンサー要素は、基礎である機械的な量、−即ち、力、加速度、速度、偏位、変形、及び／または、機械的な応力−を、異なる空間方向において測定することのために利用される。
【０１１１】
機械的なベクトル量３は、特に、力ベクトル、加速度ベクトル、速度ベクトル、偏位ベクトル、変形ベクトル、及び／または、機械的な応力ベクトルまたは応力テンソルである。
それに応じて、ストレーンゲージ装置２が、少なくとも２つの空間方向において、力、加速度、速度、偏位、変形、及び／または、機械的な応力を測定するように形成されていることは可能である。
【０１１２】
基本的に、ストレーンゲージ装置２が、機械的なベクトル量３を、工具１から発する力の伝達経路の内側の部分において測定するように設備されていることは可能である。
この力の伝達経路は、例示的に、工具１から、軸８と、軸受装置２７と、担持構造２１と、ハウジング６と、および、載置面３２とを介して、加工材料１１へと延びる。特に、ストレーンゲージ装置２は、力の伝達経路内において相前後して位置する２つの部材の間の、機械的なベクトル量３を測定するように形成されている。
【０１１３】
これに対して選択的に、この機械的なベクトル量は、同様に工具１から発する力の伝達経路の外側でも測定され得る。
【０１１４】
以下で、どのように、認識された現象及び／または認識された状態に対して応答され得るのかの、種々の可能性が述べられる。合目的に、それぞれの可能性が前記で述べられた電動工具のそれぞれの電動工具において行われていることは可能である。
【０１１５】
有利には、制御装置４は、認識された現象及び／または状態に対する応答において、相応する信号を提供するように形成されている。制御装置４が、例えば、この信号をメモリー内において格納するように、及び／または、特に電動工具の音響的または視覚的な信号出力手段を介して出力するように形成されていることは可能である。
格納された信号は、特にデータ記録であることは可能であり、このデータ記録において、ストレーンゲージ装置２によって検出されたデータが記録される。ここで扱われているのは、例えば事故経過検出の目的のためのデータ記録である。
【０１１６】
例えば工具１がもはや駆動されず、及び／または、制動、特に完全に制動されることを生起するために、更に制御装置４が、認識された現象及び／または状態に対する応答において、駆動装置７の所定の制御を行うように形成されていることは可能である。このことは、特に、認識された現象が、キックバック−現象である場合に有効である。
この制動は、その際、特に、その電気モーターによってさもなければ工具１が駆動される同じ該電気モーターによって行われ得る。
【０１１７】
選択的または付加的に、電動工具が、制動手段を備えることは可能であり、且つ、制御装置が、認識された現象及び／または信号に対する応答において、この制動手段を、工具１が制動される程に制御するように形成されていることは可能である。
【０１１８】
合目的に、制御装置４は、認識されたキックバック−現象の際に、駆動装置７及び／または制動手段を介して、工具１の制動を、電動工具及び／または加工材料１１の未だに如何なる反動または跳ね返りも行われていない時点において生起するように形成されている。
例えば、この制動は、図２へと戻って、方向閾値１７または１８が既に超過され、機械的なベクトル量３が有利にはしかしながら未だに第３の方向範囲１６内において位置しない時点において行われ得る。
このようにして、キックバックによって生起される反動または跳ね返りは減少、または、完全に防止され得る。
【０１１９】
更に、電動工具１０、６０が、位置決め装置２９を備えていることは可能であり、この位置決め装置が、工具１を選択的に作動位置または安全保護位置に位置決めするように形成されている。制御装置４が、認識された現象及び／または状態に対する応答において、この位置決め装置２９を制御するように形成されていることは可能であり、従って、工具１が、作動位置または安全保護位置に位置決めされる。
位置決め装置２９は、例えば、工具１を作動位置と安全保護位置との間で移動する及び／または旋回するように形成されている。合目的に、工具１は、安全保護位置において、作動位置においてよりも十分に、ハウジング６内へと位置決めされている。合目的に、工具１は、キックバック−現象に対する応答において、安全保護位置へと位置決めされる。
【０１２０】
図９は、電動工具１０、２０、３０、４０、５０の、現象及び／または状態の認識のための方法のフローチャートを示しており、この電動工具が、
担持構造２１と、この担持構造に配設された回転軸受２７と、この回転軸受２７を介してこの担持構造２１に軸受けされた軸８と、この軸８と連結された回転可能な工具１、特に鋸刃、ミーリングカッターまたは研磨ディスクと、および、この工具１から発する力に依存する機械的な量３の検出のためのストレーンゲージ装置２とを有し、
その際、このストレーンゲージ装置２が、前記回転軸受２７と力伝達的に連結された不動の構造部分に配設されており、且つ、この回転軸受２７には配設されていない前記方法において、この方法が、以下のステップ：即ち、
機械的な量３の検出のステップＳ１と、この機械的な量３に従い、電動工具１０、２０、３０、４０、５０の現象及び／または状態の認識のステップＳ２とを備えている。
【０１２１】
合目的に、この方法は、前記で説明された電動工具１０、２０、３０、４０、５０の内の１つの電動工具を用いて実施される。
【０１２２】
有利には、この方法は、更に別のステップを備えており、このステップにおいて、認識された現象及び／または認識された状態に対する、前記で述べられた応動の内の１つの応動が実施される。
【０１２３】
図１０は、第５の実施形態に従う、電動工具５０を示している。電動工具５０は、ここで、例示的に、不動の鋸、特にテーブル丸鋸として形成されている。この電動工具５０は、前記で既に電動工具１０との関連において述べられた特徴を備えている。更に、この電動工具５０において、ストレーンゲージ装置２及び／または担持構造２１が、第２から第４までに至る実施形態との対応関係において構成されていることは可能である。
【０１２４】
例示的に、工具１は、ここで反時計方向に回転する。合目的に、加工材料１１は、加工の際に、鋸の歯が上方から下方へとこの加工材料１１内へと鋸で切断するように、鋸刃として形成された工具１内へと押し込まれる。図１０内において、相応する送り方向１２が図示されている。方向範囲１４、１５、１６、及び／または、方向閾値１７、１８は、電動工具５０において相応して適合されている。例えば、図８内において示された方向範囲１４、１５、１６及び／または方向閾値１７、１８が、ダイヤグラムの中心点を中心に点対称（ｐｕｎｋｔｇｅｓｐｉｅｇｅｌｔ）されていることは可能である。
【符号の説明】
【０１２５】
１    工具
２    ストレーンゲージ装置
３    機械的なベクトル量、機械的なベクトル量
４    制御装置
５    構造部分
６    ハウジング
７    駆動装置
８    軸
９    軸受フランジ
１０  電動工具
１１  加工材料
１２  送り方向
１４  方向範囲、第１の方向範囲
１５  方向範囲、第２の方向範囲
１６  方向範囲、第３の方向範囲
１７  方向閾値、第１の方向閾値
１８  方向閾値、第２の方向閾値
１９  ０°線
２０  電動工具
２１  担持構造
２２  第１の部分区間
２３  第２の部分区間
２４  部分
２５  ストレーンゲージ
２６  ストレーンゲージ
２７  回転軸受
２９  位置決め装置
３０  電動工具
３１  ユーザインターフェース
３２  載置面
３３  外側リング
３４  内側リング
３５  転動体
３６  フランジ部分
３７  回転軸受−収容部分
３８  カラー部分
３９  固定部分
４０  電動工具
４１  軸線方向範囲、第１の軸線方向範囲
４２  軸線方向範囲、第２の軸線方向範囲
４３  軸線方向範囲、第３の軸線方向範囲
４４  回転軸受収容部
４５  内側の外套面、面
４６  当接面
５０  電動工具
Ｓ１  ステップ
Ｓ２  ステップ
【図１】
2020528013.tif 000003
【図２】
2020528013.tif 000004
【図３】
2020528013.tif 000005
【図４】
2020528013.tif 000006
【図５】
2020528013.tif 000007
【図６】
2020528013.tif 000008
【図７】
2020528013.tif 000009
【図８】
2020528013.tif 000010
【図９】
2020528013.tif 000011
【図１０】
2020528013.tif 000012
【国際調査報告】
2020528013.tif 000013
2020528013.tif 000014
2020528013.tif 000015
2020528013.tif 000016
2020528013.tif 000017